Podtech/llm-jp-corpus-v4-ja_patent huggingface dataset:
(57)【要約】      （修正有）【課題】美的にも美しく、さらに、被接触面を拡大し、水分の吸水力のよいタオル表面の汗等の水分の吸収率を高めるタオルを提供する。【解決手段】矩形状のタオル本体１の相対向する両端辺の近傍に、それぞれ、ゴム等の弾性糸２を、緊張した状態で縫い付けることにより、フリル３を形成し、かつ、タオル本体１の中央部に一または複数のゴム等の弾性糸２を設ける。さらに、ゴム等の弾性糸２が、タオル本体１の長手方向に沿って、所定の距離を保って、複数本設ける。【選択図】図１
0003161652.tif 000002
【実用新案登録請求の範囲】
【請求項１】
タオル本体（１）の一辺の近傍、あるいは相対向する両端辺（Ａ）（Ａ′）のそれぞれ近傍に、ゴム等の弾性糸（２）を、緊張した状態で縫い付けることにより、一辺、あるいは両辺にフリル（３）を形成し、かつ、タオル本体（１）の中央部にも、一または複数のゴム等の弾性糸（２）を設けたことを特徴とするタオル。
【請求項２】
ゴム等の弾性糸（２）が、タオル本体（１）の長手方向に沿って、所定の距離を保って、複数本設けたことを特徴とする請求項１記載のタオル。
【考案の詳細な説明】
【技術分野】
【０００１】
この考案は、タオルに関し、特に、主には、洗髪後に頭に巻くタオルに関するものである。
【背景技術】
【０００２】
従来、タオルは、織物の片面または両面に輪奈を織り出した厚手の綿織物てあり、近年このタオル素材を用いて、バスローブ、ベッドカバー等の寝具用品をはじめ、種々の商品に利用されている素材である。
【０００３】
そもそも、タオルは、手拭いと共に、元来、手・顔や体等を拭うものであり、暑い時期には冷たく冷しし、また、寒い時期には暖かく加熱したものを使用することにより、大変、さっぱりとして気持ちよく、極めて爽快なものである。
【０００４】
しかし、タオルの表面は、パイル織りがなされており、厚手となってはいるが、全体的には面一の布片にすぎず、濡れた顔・髪や身体を拭く際には、摩擦力に乏しく、水分の吸収が悪いものであった。
【０００５】
また、近年タオル、あるいはタオル地の使用方法が異って来ており、タオル等の布地を筒状に形成し、そのそれぞれ口端の一方にゴムを入れ、他端にスリットを入れ、洗髪直後、頭部に巻くように構成されて使用されている。例えば、特許文献１のように。
【先行技術文献】
【特許文献】
【０００６】
【特許文献１】特開２００５−１９４６７８号公報
【０００７】
しかしながら、この特許文献１は、タオル地を筒状に形成し、一の口端部を帯ゴムで縛り、他の口端部にはスリットを設けたものであり、その使用目的が限定されるし、また、頭部に被るものであって、濡れた頭髪にぴったりと巻ける構造とはなっておらず、また、見た目にも美しいものではなかった。
【考案の概要】
【考案が解決しようとする課題】
【０００８】
そこでこの考案は、タオルの形状を、従来の形状より、縫製の際に工程を変えることなく、素材を多少変えることにより、頭に巻く際、美的にも優れ、さらに、タオルの接触面を拡大し、水分の吸水がよりよく、タオル表面に汗等水分の吸収率を素早く高め、かつ、頭に巻き易いタオルを開発・提供することにある。
【課題を解決するための手段】
【０００９】
この考案である課題を解決するための手段は、タオルの一端あるいは両端部付近にゴム等の弾性糸を編組することによって、タオルの端部にフリルを形成し、また、タオルの中程部にも適宜な間隔ごとに、ゴム等の弾性糸を編組するものである。
【考案の効果】
【００１０】
この考案によると、タオル本体に、従来の綿糸に代えて、一部をゴム等の弾性糸を用いて編組することにより、タオルの両端辺にフリルが連続して形成され、頭に巻いた際、見た目に美麗であり、タオルの中央部にもゴム等の弾性糸を、所定の間隔をあけて複数条編組することにより、タオル表面に凹凸面を多数形成した結果、例えば、洗った顔等を拭いた場合、このタオルの凹凸面により摩擦があり、よく拭け、水分もよく吸収されるし、頭髪とタオルとがフィットする。
【００１１】
また、予め、タオル表面に凹凸面が多数形成されているので、該タオルを用いて、例えば、犬・猫等ペットのゲージ床面に敷設する場合にも、ふんわりとクッション弾力性がある等の極めて有益なる効果を奏するものである。
【図面の簡単な説明】
【００１２】
【図１】この考案の一実施例を示す一部欠截平面図である。
【図２】この考案の一実施例を示し、弾性糸を、緊張した状態の一部欠截説明図である。
【図３】この考案の使用状態の一実施例を示す一部欠截側面図である。
【考案を実施するための形態】
【００１３】
この考案は、製造する際には、タオル本体の、主に、長手方向の両端辺近傍、並びに、中央部に、複数条のゴム等の弾性糸を、緊張した状態で、複数列編組するタオルから構成され、完成した際には、これら弾性糸が縮むことによりタオル本体の両端辺並びに中央部に凹凸が形成されるものである。
【実施例】
【００１４】
この考案の一実施例を図１及び図２に基づいて説明すると、タオル本体（１）の相対向する両端辺（Ａ）（Ａ′）の近傍に、それぞれ、ゴム等の弾性糸（２）を、緊張した状態で編組してフリル（３）を形成したことを特徴とするタオルから構成されるものである。
【００１５】
さらに、ゴム等の弾性糸（２）は、タオル本体（１）の中央部に、長手方向に沿って、所定の距離を保って、複数本設けてもよい。
【００１６】
また、タオル本体（１）の形状は、図３に示すように頭部に巻くよう長方形状にしたものを示したが、この形状に限定されることなく、他の目的、即ち，ペットのゲージに敷設するものには、他の形状、例えば、円形状・非円形状であってもよい。
【産業上の利用可能性】
【００１７】
この考案によると、このタオルの技術を確立し、実施・販売することにより産業上の利用可能性がある。
【符号の説明】
【００１８】
１  タオル本体
Ａ，Ａ′相対向する両端辺
２  ゴム等の弾性糸
３  フリル
【図１】
0003161652.tif 000003
【図２】
0003161652.tif 000004
【図３】
0003161652.tif 000005
(57)【要約】      （修正有）【課題】堰板の周縁部に付着しているコンクリート層を比較的容易に剥離できて作業効率を向上できると共に堰板周縁部を余り傷付けることのないケレン工具を提供する。【解決手段】型枠用堰板の周縁部に付着したコンクリート層を除去する工具であって、棒状鋼材の中間部を断面三角形状に形成して研削部２を設け、その左右両端部には適宜長さの筒状鋼材を連結して把持部３、４を設けてなる。また、一方の把持部の端部には携帯用透孔５を設けてなる。【選択図】図１
0003161669.tif 000002
【実用新案登録請求の範囲】
【請求項１】
型枠用堰板の周縁部に付着したコンクリートを除去する工具であって、棒状鋼材の中間部を断面三角形状に形成して研削部を設け、その左右両端部には適宜長さの筒状鋼材を連結して把持部を設けてなるケレン工具。
【請求項２】
型枠用堰板の周縁部に付着したコンクリートを除去する工具であって、棒状鋼材の中間部を断面三角形状に形成して研削部を設け、その左右両端部には適宜長さの筒状鋼材を連結して把持部を設け、一方の把持部の端部には携帯用透孔を設けてなるケレン工具。
【考案の詳細な説明】
【技術分野】
【０００１】
本考案は、型枠用堰板の周縁部に付着したコンクリート層を除去する工具に関するものである。
【背景技術】
【０００２】
従来一般建築土木工事において、壁や床スラブのコンクリート打ち込みに当り、合板などの堰板を使用して型枠を構成し、この型枠をパイプサポート式等の支保工で支持して行っている。
而して、前記堰板の周縁部にはコンクリートが層状に付着するため、再利用する場合にはその付着しているコンクリート層を綺麗に除去する必要がある。
従来は、この付着したコンクリート部分を金槌で軽く叩いたり、剥離用の金属ヘラ等を使用して除去することが行われている。
【特許文献１】特開１１−１９８０６３号公報
【考案の開示】
【考案が解決しようとする課題】
【０００３】
従来のように、金槌で叩いたり、金属ヘラ等の工具で剥離することは、周縁部に付着したコンクリート層を除去するのに手間が掛かると共に、堰板の周縁部を傷付け易い難点があった。
そこで、本考案では、堰板の周縁部に付着しているコンクリート層を比較的容易に剥離できて作業効率を向上できると共に堰板周縁部を余り傷付けることのないようにした。
【課題を解決するための手段】
【０００４】
本考案は、棒状鋼材の中間部を断面三角形状に形成して研削部を設け、その左右両端部には適宜長さの筒状鋼材を連結して把持部を設けて構成した。また、一方の把持部の端部には携帯用透孔を設けて構成してある。
【考案の効果】
【０００５】
本考案のケレン工具は、棒状鋼材の中間部を断面三角形状に形成して研削部を設け、その左右両端部には適宜長さの筒状鋼材を連結して把持部を設けてなるから、把持部を両手で掴み、研削部の刃部でコンクリート層を削除するようにしてあるので、堰板の周縁部に付着しているコンクリート層を容易に剥離できて作業効率を向上できると共に、堰板を余り傷付けることがない。
また、研削部は耐磨耗性に優れていると共に、刃部が磨耗した場合にはヤスリ等を使用して容易に鋭角状に研磨できるので、長期間に亘り使用できる。
また、構造が簡単であるので比較的安価に提供できる利点がある。
また、把持部を筒状に形成してあるので、その把持部を型枠支保工のサポートパイプのハンドルに嵌着する事により、ハンドルの回動作業を容易に行う事ができる利点がある。更に、把持部を持って研削部で堰板に付着したコンクリート層を叩く事により、コンクリート層を比較的容易に取り除く事もできる。
また、一方の把持部には携帯用透孔を設けてあるので、この透孔に携帯用紐を結んでおくことにより携帯が極めて容易になり、作業効率が一層向上する利点がある。
【考案を実施するための形態】
【実施例１】
【０００６】
以下添付図面に従って、本発明の実施例を説明する。
図１乃至図３において、１は本考案に係るケレン工具であって、丸棒状鋼材をその両端部を除いて断面三角形状に形成して研削部２を設け、その左右両端部には適宜長さの円筒状鋼材の一端部を夫々嵌着し溶着して把持部３、４を設けてある。本実施例においては、研削部２は径１６ｍｍ、長さ約８０ｍｍの焼入れ鋼材を使用し、把持部３、４は夫々内径１６ｍｍ、外径２１ｍｍ、長さ１００ｍｍの円筒状鋼材を使用している。なお、５は、一方の把持部の端部に形成した携帯用紐等を通すための透孔を示す。
【０００７】
次に、本考案に係るケレン工具の使用法につき説明する。
図４に示すように、堰板ａをコンクリート層が付着した面を上にして立て掛け、把持部３、４を両手で握り、その研削部２の刃部６を付着したコンクリート層ｂに当てた状態で前後に動かす事により、コンクリート層ｂを削り取るものである。
また、一方の把持部を持って、その研削部２の刃部６でコンクリート層ｂを叩いて除去することもできる。
なお、図５に示すように、現場作業の要求に応じ、一方の把持部を型枠支保工のサポートパイプｃのハンドルｄに嵌装し、ハンドルを長くして操作できる。
【図面の簡単な説明】
【０００８】
【図１】本考案に係るケレン工具の平面図である。
【図２】図１におけるＡ−Ａ線断面図である。
【図３】図１におけるＢ−Ｂ線断面図である。
【図４】使用状態を示す参考図である。
【図５】他の使用状態を示す参考図である。
【符号の説明】
【０００９】
１    ケレン工具
２    研削部
３    把持部
４    把持部
５    携帯用透孔
６    刃部
【図１】
0003161669.tif 000003
【図２】
0003161669.tif 000004
【図３】
0003161669.tif 000005
【図４】
0003161669.tif 000006
【図５】
0003161669.tif 000007
(57)【要約】      （修正有）【課題】紐のみならず粘着テープで梱包されている梱包物を開封することになっても容易に、かつ、内容物を傷つけることなく開封できるカッターナイフを提供する。【解決手段】紐を切断するためにカッターホルダーの一端にカッター刃を備えたカッ  ターナイフにおいて、他端には粘着テープを切断するために一部を尖らせ、その尖らせ  た部分の長さを一定の範囲内とした平板を備え付けた。【選択図】図１
0003161825.tif 000002
【実用新案登録請求の範囲】
【請求項１】
カッターホルダーの一端にカッター刃を備え、他端には粘着テープを切断するため    の平板を備え付けたカッターナイフ
【請求項２】
前記平板は、カッターホルダー中心線に対し垂直に交わる方向の一部を尖らせ、そ    の尖らせた部分の長さをカッターホルダー中心線方向で１〜３ｍｍの範囲内とした請    求項１記載のカッターナイフ
【考案の詳細な説明】
【技術分野】
【０００１】
本考案は、カッターホルダーの一端にカッター刃を備え、他端には粘着テープを切断  するための平板を備えたカッターナイフに関するものである。
【背景技術】
【０００２】
一般的に、紐で梱包された梱包物を開封する際には紐を切るためにカッターナイフや  はさみを用い、粘着テープで貼り付けられた梱包物を開封する際には梱包物の突合せ部  分に貼られた粘着テープの上にカッターの刃やはさみの刃を押し付けて挿入し移動させ  て切断してる。
この時使用するカッターナイフは、切断時にはカッターホルダー内からカッター刃を繰  り出し、切断後はカッターホルダー内にカッター刃を収納するタイプが一般的であり、  使用できなくなったカッター刃は部分的に折って廃棄できる構造となっているものが多  い（例えば、特許文献１および特許文献２参照。）。
【先行技術文献】
【特許文献】
【０００３】
【特許文献１】特開平５−３０５１８７  公報
【特許文献２】特開２００３−１６４６７８  公報
【考案の概要】
【考案が解決しようとする課題】
【０００４】
紐で梱包された梱包物を開封する際には紐を切るためにカッターナイフやはさみを用  いるが、粘着テープで梱包された梱包物を開封する際にカッターナイフやはさみを用い  ると、カッターの刃やはさみの刃を梱包物の突合せ部分に貼られた粘着テープの上に押  し付けて挿入し移動させて切断しようとするために刃が深く入り過ぎてダンボールのよ  うな梱包物のみならず内容物まで傷つけてしまうことがあった。従ってカッターナイフ  において、カッターホルダーの一端にカッター刃を備え、他端には粘着テープを切断す  るための平板を備え付けることで前述の問題を解決しようとするものである。  
【課題を解決するための手段】
【０００５】
本考案は、紐を切断するためにカッターホルダーの一端にカッター刃を備えたカッタ  ーナイフにおいて、他端には粘着テープを切断するために一部を尖らせ、その尖らせた  部分の長さを一定の範囲内とした平板を備え付けることで問題点を解決している。
【考案の効果】
【０００６】
上述のように、本考案は梱包物の紐を切断するためのカッター刃と粘着テープを切断  するための平板とをカッターホルダーに一体化したカッターナイフとしたので、突然、  紐のみならず粘着テープで梱包されている梱包物を開封することになっても平板を用い  て開封することで容易に、かつ、内容物を傷つけることなく開封できる。
【図面の簡単な説明】
【０００７】
【図１】本考案の平板とカッター刃とをカッターホルダーに一体化したカッターナ              イフの実施例を示す正面図
【図２】図１の平板の拡大図
【考案を実施するための形態】
【実施例】
【０００８】
以下、添付図面に従って実施例を説明する。図１、図２はカッターホルダー１の一端  にカッター刃２を備え、他端に平板３を備えたカッターナイフ４の実施例である。
カッターホルダー１の一端に備え付けられた平板３は、カッターホルダー中心線５に対  し垂直に交わる方向の一部を尖らせ、その尖らせた部分の長さをカッターホルダー中心  線５方向で１〜３ｍｍの範囲内になるようにしたものである。長さが１ｍｍ未満では厚  さのある粘着テープを切断し難く、３ｍｍを超すと指を切るなどの安全上の問題が高ま  るのと切断時に平板３が深く入り過ぎて内容物を傷つける恐れがあるためである。平板  ３とカッターホルダー１とは材質が樹脂性の場合、射出成形により一体成形されるが、  平板３のみを金属性の材質とした場合には樹脂性のカッターホルダー１と接着もしくは  ネジ込み式により接続固定し一体化してもよい。
【０００９】
なおカッターナイフ４は繰り出し折り刃方式のものであり、特開平５−３０５１８７  に記載されているように、カッターホルダー１内の図示していないスライド溝の側面に  はカッター刃２の進退方向に設けた係合凹部が一定間隔で連続して形成されている。こ  のスライド溝にスライダー６が図示していない板バネと共に挿入されカッター刃２と連  結しているので、スライダー６を進退させると板バネと係合凹部が係合係脱を繰り返し、  カッター刃２もそれに合わせて進退することで、切断する状態あるいは収納して安全に  保持できる状態となる。
【符号の説明】
【００１０】
１  カッターホルダー
２  カッター刃
３  平板
４  カッターナイフ
５  カッターホルダー中心線
６  スライダー
【図１】
0003161825.tif 000003
【図２】
0003161825.tif 000004
(57)【要約】      （修正有）【課題】被介護者を適格、適切、安全に介護、介助することができる介助サポートベルトつき被介護者用衣服を提供する。【解決手段】被介護者が着用する衣服の上衣及び下衣に、介助サポートベルトを縫いつけ、サポート構造とする。【選択図】図１
0003161802.tif 000002
【実用新案登録請求の範囲】
【請求項１】
被介護者用の衣服の上下に布織の介助サポートベルトを縫いつけ、介護及び介助作業のサポート構造を施した介助サポートベルトつき被介護者用の衣服。
【考案の詳細な説明】
【技術分野】
【０００１】  被介護者を適確、適切、安全に介護、介助するために、また、されるために被介護者が着用する衣服の構造に関する技術の分野に属する。
【背景技術】
【０００２】  適確、適切、安全に介護、介助するための配慮を介助サポートベルトを縫いつけ、サポート構造を施した被介護者用の衣服は、現在、市場では見当たらない。被介護者を介護、介助するに当たり、介護用補助具を必要としない領域の介護、介助作業において適確性、適切性、安全性が充分であるといえない状態である。
【先行技術文献】
【特許文献】
【０００３】
【非特許文献】
【０００４】
【考案の概要】
【考案が解決しようとする課題】
【０００５】  適確と適切、そして、安全に被介護者及び介護者の双方が高い安心度と信頼性をもって介護、介助作業を行うことである。（１）座位姿勢から立ち上がりへの介助。（２）ベッドから車椅子へ、車椅子からベッドへの移乗。（３）被介護者の身体を持ち上げるときに生じる着衣の股間部へのくいこみ。等介護、介助作業を適確、適切、安全に行い、お互いに安心度と信頼性を持てることである。被介護者が着用する衣服は、伸縮性を有する布生地で製作されているものが多く、介護、介助作業の折には適確、適切、安心性がやや欠ける。また、持ち上げるときに生じる股間部へのくいこみ、抱き上げ、背負い時の被介護者の反り返り等に関して、高い安心度と信頼性のある介護、介助作業を行うことが大切である。
課題は、介護、介助作業を行うに当たり、適確、適切、安全、そして、高い安心度と信頼性の実現である。
【課題を解決するための手段】
【０００６】  被介護者の着用する衣服の上衣及び下衣に布織の介助サポートベルトを縫いつけ、サポート構造とした衣服とする。
【考案の効果】
【０００７】  被介護者が着用する衣服に介助サポートベルトを縫いつけたサポート構造にすることにより（１）下衣のウエスト部を握り持ち上げても股間部への過度の食い込み現象が生じない。（２）座位姿勢から立ち上がりへの介助が適切に行える。（３）車椅子とベッド間の移乗作業のサポートを適確に、適切に行える。（４）抱き上げるとき、背負ったときに起きる被介護者の反り返り等の動作による不安定な状態に対応できる。
【図面の簡単な説明】
【０００８】
【図１】  被介護者用衣服の表面図。
【図２】  被介護者用衣服の上衣と下衣のジョイント状態の図。
【考案実施の形態】
【０００９】  （図１参照）被介護者用衣服に施す布織介助サポートベルトは衣服の表面に縫いつける。
（図１符号２参照）前身ごろ左右をジョイントするベルトであり、手で掴み、被介護者の姿勢保持をサポートする。着用者が衣服の着脱がしやすいように、縫いつけず、使用目的に適合するように、前身ごろ左右の介助サポートベルトをジョイントする構造とする。
（図１符号３参照）うしろ身ごろ左右をジョイントする介助サポートベルトは、衣服には縫いつけず、被介護者をサポートする背掴み用の介助サポートベルトである。
（図２参照）図１に図示した被介護者用衣服の下衣のウエスト部の左右はサポートベルトの縫いつけにより、補強されており、そのサポートベルト部分には、被介護者を持ち上げるための手掛け用のサポートベルトが取り付けてあり、その部分を手で掴み、介護、介助のサポートをする。また、その箇所に上衣の内側下部の左右に取り付けてあるカラビナを掛けて上衣と下衣をジョイントする。
抱き上げたとき、背負ったときの被介護者の反り返り等の動作による不安定状態に対応するためのベルトが付属品としてあり、縫いつけ介助サポートベルトの肩部のリングに掛けて介護者の背中を経由して下衣のサポートベルトの手掴み部に掛けて対応する。
【符号の説明】
【００１０】  １、  縫い付けられた介助サポートベルト。
２、  前身ごろ左右のジョイント用サポートベルト。
３、  背掴み用ベルト。
４、  カラビナ。
５、  下衣の手掛け用サポートベルト。
６、  付属ベルト掛けリング。
【図１】
0003161802.tif 000003
【図２】
0003161802.tif 000004
(57)【要約】      （修正有）【課題】足の治療を受ける際に、治療に必要のない部分を露出しなくてすむスラックスを提供する。【解決手段】スラックス１の内側に、内股上部より裾までの間に  両開き出来る様に２個のスライドを付けたファスナー２の中央部を開く構造にする。【選択図】図１
0003161804.tif 000002
【実用新案登録請求の範囲】
【請求項１】
スラックスの内側に股下より裾までの間に、スライド（引き手）を２個使い中央部から開くタイプのファスナーを取り付け、開く位置と範囲を自由に出来、全開したときでも裾が止まっていることを特徴とする治療用スラックス。
【考案の詳細な説明】
【技術分野】
【０００１】  本考案は、足の治療を受ける際に便利なスラックスに関するものである。
【背景技術】
【０００２】  従来のスラックスには、ファスナーを縫付けものがある（例えば登録実用新案１参照。）。しかしファスナーを裾から開く構造であり、治療に必要のない部分まで露出させるもので  女性にとっては苦痛であった。また裾までファスナーがあるために、裾上げするためには  ファスナーを加工する必要があり、ファスナー専門加工業者に頼まなければならい不便さと高い加工費がかかるがあった。スラックスにおいて、シルエットを左右する袖丈を、家庭で裾上げがしにくいために、普及の妨げになっていた。【０００３】
【特許文献１】登録実用新案第３１１６８５０号
【考案の概要】
【考案が解決しようとする課題】
【０００４】  足の治療等の際に、両開きファスナーのスライドを操作することによって、治療に不要な臀部または足首より治療部まで広範囲の肌を  露出をしなくてすむ。またファスナーを裾までつけないことで、ファスナーを加工することなしに  裾上げができるよう改善する。そうすることで  裾まくりや裾の短いスラックスをはかなくても済むようになる。
【課題を解決するための手段】
【０００５】  スラックスの内側縫い目に沿い、図１の２に示すように  裾より若干  上った所より内股間に、中央から開くことが出来る２個のスライドを持つファスナーを取り付ける。
【考案の効果】
【０００６】  スライドを操作することにより、治療を受ける際に必要な部分のみ開くことが出来るので、羞恥心なく治療ができる。またファスナーをスラックスの内側に配し、シルエットを左右する袖丈を、ファスナーを加工することなく  裾上げができるので、家庭で裾上げができ、普通のスラックスのようなファッション性を持たすことができる。
【図面の簡単な説明】
【０００７】
【図１】本考案に係わるスラックスへの  ファスナー取り付け概念図である。
【図２】本考案に係わる２個のスライドをつけた両開きファスナー概念図である。
【符号の説明】
【０００８】１    スラックス
２    左足のファスナー取り付け位置
３    両開きファスナー本体
３ａ  ファスナーの上部側スライド
３ｂ  ファスナーの下部側スライド
【考案を実施するための形態】
【０００９】  本考案のスラックスは  図３に示すような２個のスライド３ａ，３ｂを持ち  両開きできるファスナーを、図１の２に示すように、スラックスの内側に  裾より若干あがった所より  内股間に取り付ける。図１は左足にファスナーを取り付けた状態を示しているが  右足にも同じようにファスナーを取り付ける。
【図１】
0003161804.tif 000003
【図２】
0003161804.tif 000004
(57)【要約】      （修正有）【課題】伸縮時に低振動・低負荷・低騒音である新ジャバラを提供する。【解決手段】織り布に熱可塑性樹脂をコートしたカバー布Ａ−１に熱を加え所定の折幅に交互に折り畳み折り目を付けて山谷を形成し、所定寸法に成る様に裁断した熱可塑性樹脂より成る樹脂板Ａ−２をカバー布Ａ−１の折り目に沿って挿入し、過熱プレス板にて溶着加工を行い形状を成す。樹脂板Ａ−２に低摩擦材料を用いた回転体Ａ−３を設置する。【選択図】図１
0003161805.tif 000002
【実用新案登録請求の範囲】
【請求項１】
織り布に熱可塑性樹脂をコートした布製カバー布（以下、カバー布Ａ−１と言う）に熱を加え所定の折幅に交互に折り畳み折り目を付けて山谷を形成し、所定寸法に成る様に裁断した熱可塑性樹脂より成る板（以下、樹脂板Ａ−２と言う）を前記、カバー布Ａ−１の折り目に沿って挿入し、過熱プレス板にて溶着加工を行い形状を成した樹脂板溶着式布製ジャバラＣに於いて、樹脂板Ａ−２に超高分子量ポリエチレン、テフロン等の低摩擦材料を用いた回転体Ａ−３を設置する事によりジャバラ伸縮時の振動・ビビリ・騒音を極小に抑えた布製折り畳み式ローラー装着プレート付きジャバラＡ。
【考案の詳細な説明】
【技術分野】
【０００１】  本考案は、主として工作機械の保護カバー、その他一般産業機械の保護カバーとして活用するものに関する。
【背景技術】
【０００２】  液晶テレビ、半導体、光学分野を始めとする平面研削、鏡面加工の部品製造に欠かせない工作機械で精密平面研削盤成る工作機械には、駆動用のリニアガイド保護、ボールネジ保護或いは人体への危険回避を目的として従来から一般に折りジャバラＢと言われるゴム製シートと絶縁紙ポリエステルフィルムを接着剤で貼り合わせ本体Ｂ−１を成し、形状保持の目的で鋼板製形状保持板Ｂ−２に自重を受けるための樹脂等の回転体を配置しかつ、鋼板製形状保持板Ｂ−２がジャバラの伸縮に於いて傾き或いは倒れを発生させる事から連鎖機構Ｂ−３を設けた折りジャバラＢが多く使用されていた。【０００３】  これらの折りジャバラＢは、絶縁紙ポリエステルフィルムが水分、油分を吸収し本体Ｂ−１が型崩れの発生や、連鎖機構Ｂ−３設置に伴う重量増加や伸縮時の振動、ビビリ、騒音などの問題があった。
これらの問題を解決する為、本体Ｂ−１が型崩れを発生させず、しかも軽量で高剛性なジャバラとして樹脂板溶着式布製ジャバラＣ  登録実用新案第３０４７２７４号、多量の切削液、高温の切粉という使用環境でも長寿命な鎧付き布製折り畳み式ジャバラ  登録実用新案第３０５６０１９号を本出願者は考案している。【０００４】  しかし、近年の超精密微細加工を行う超精密平面研削盤等に於いては、ナノレベルでの表面粗さが求められジャバラ伸縮時の振動・ビビリ・重量的な負荷が原因で加工部品の表面粗さに影響を与え結果的に、加工部品表面に縞模様などが発生する問題があった。
【考案の開示】
【考案が解決しようとする課題】
【０００５】  これらの問題を解決する為、ジャバラ伸縮時に於いて低振動・低負荷・低騒音・軽量化を備えた新しいジャバラの開発が必要であった。
【課題を解決するための手段】
【０００６】  本考案はかかる問題を解消するため本考案者は、鋭意改良を重ね低摩擦材の回転体Ａ−３を用いた部材を樹脂板Ａ−２に装着する事で、問題を解決すると共に実用上優れた性能を発揮する布製折り畳み式ローラー装着プレート付きジャバラＡを開発した。その内容について以下、図面に従って説明する。
【実施例】
【０００７】  請求項１に記載の布製折り畳み式ローラー装着プレート付きジャバラＡの斜視図、構造図を図１に示す。図４に本考案の主体となす回転体構造を示す。【０００８】  織り布に熱可塑性樹脂をコートしたカバー布Ａ−１に熱を加え所定の折幅に交互に折り畳み折り目を付けて山谷を形成し、所定寸法に成る様に裁断した熱可塑性樹脂より成る樹脂板Ａ−２を前記、カバー布Ａ−１の折り目に沿って挿入し、過熱プレス板にて溶着加工を行い形状を成した樹脂板溶着式布製ジャバラＣを示す。（図３）【０００９】  超高分子量ポリエチレン、テフロン等の低摩擦材料（実施例では、超高分子量ポリエチレン）を用いた回転体Ａ−３を鋼製の軸Ａ−４（実施例では、直径３ミリ）に通し回転体Ａ−３の両側に、鋼製或いはファイバー製（実施例では、鋼製）の側板Ａ−５を配置し、回転時に於ける回転体Ａ−３と取付板Ａ−６の接触抵抗を軽減させる構成部品とした。（図４）【００１０】  次に、前記構成部品から成る回転体Ａ−３を樹脂板Ａ−２の所定位置に係止し、これらを全ての樹脂板Ａ−２或いは、不定配置に係止しする事（実施例では、全てに配置）によって、伸縮時に於ける機械摺動部材との接触抵抗を軽減させた布製折り畳み式ローラー装着プレート付きジャバラＡ。
【考案の効果】
【００１１】  本考案により、ジャバラ伸縮時の振動・ビビリは勿論、樹脂板溶着式布製ジャバラＣとの相乗効果もあり、低負荷、低騒音、軽量化のジャバラの製作に成功した。社内設備に於ける引っ張り荷重では、０．５ｋｇｆ、縮み荷重では、０．２ｋｇｆと従来比の５０％の低減、重量に関しても従来品の４０％の軽量化に成功し優れた結果となった。
【図面の簡単な説明】
【図１】  布製折り畳み式ローラー装着プレート付きジャバラの斜視図、構造図
【図２】  従来の折ジャバラ斜視図、構造図
【図３】  樹脂板溶着式布製ジャバラ斜視図、構造図
【図４】  回転体構成図
【符号の説明】    Ａ      布製折り畳み式ローラー装着プレート付きジャバラ
Ａ−１  カバー布
Ａ−２  樹脂板
Ａ−３  回転体
Ａ−４  軸
Ａ−５  側板
Ａ−６  取付板
Ｂ      折りジャバラ
Ｂ−１  本体
Ｂ−２  鋼板製形状保持板
Ｂ−３  連鎖機構
Ｃ      樹脂板溶着式布製ジャバラ
【図１】
0003161805.tif 000003
【図２】
0003161805.tif 000004
【図３】
0003161805.tif 000005
【図４】
0003161805.tif 000006
(57)【要約】      （修正有）【課題】使用者（主に中学・高校生）が、数学等の理数系科目の合理的な学習のため、計算のプロセスを確認しながら数式を記述することができ、さらに、２次元グラフを描く場合の作業の軽減化を同時に満たす用紙を提供する。【解決手段】用紙は、横罫線ノートにおいて、縦罫線３によって数式記述欄と計算欄に左右分割される。また、２次元グラフの描画の目安となる座標として使用するため、横罫線の目盛り２を横罫線上に設けることを特徴とする。【選択図】図１
0003161853.tif 000002
【実用新案登録請求の範囲】
【請求項１】
通常の横罫線のノート用紙の右端から横罫線全体の１００分の３０以上かつ１００分の３５以下（概ね右から３分の１）の位置に縦罫線を1本印刷したノート用紙。
【請求項２】
横罫線には横罫線の間隔と同一幅の目盛りを設け、請求項１の縦罫線はその目盛りのうちひとつと交差する位置にあるノート用紙。
【考案の詳細な説明】
【技術分野】
【０００１】
本考案は、使用者（主に中学・高校生）が数学等の理数系科目の合理的な学習を容易にするためのノート用紙のデザインに関する。
【背景技術】
【０００２】
一般に、冊子状に綴じられたノートやルーズリーフのリフィルなどに使用される用紙（ノート用紙）として、従来より非特許文献１で知られているような横罫線が印刷されているものが知られている。
【非特許文献１】URL;http://www.kokuyo-st.co.jp/stationery/campus/（商品カタログ）
【考案の概要】
【考案が解決しようとする課題】
【０００３】
数学の問題を解くために数式をノートに書く際、計算を別の計算用紙で行うケースが多く、その場合は計算用紙の計算結果の値をノートの数式に転記しなければならなかった。
【０００４】
このため、数式を立てるまでに至る計算の過程が分かりにくく、解答を間違えたときには、どこで計算を誤ったのかを見つける事が難しかった。又、計算用紙と数式の書かれたノートが別々のため、数式の立て方が理解しにくい面があった。
【０００５】
本考案は、上記の事情に基づいてなされたものであり、使用者が計算のプロセスを確認しながら数式を記述する用紙を提供することを目的とする。
【０００６】
また数式と一緒に放物線等の２次元グラフを書く際、Ｘ軸Ｙ軸及び頂点の座標を書き込む煩雑さがあり、これらの作業の軽減化を同時に満たすものとする。
【課題を解決するための手段】
【０００７】
前記目的を達成するため、本考案のノート用紙は、通常の横罫線のノート用紙の右端から横罫線全体の１００分の３０以上かつ１００分の３５以下（概ね右から３分の１）の位置に縦罫線を1本印刷するものとする。
【０００８】
さらに横罫線には横罫線の間隔と同一幅の目盛りを設ける。この時、上記縦罫線はその目盛りのうちひとつと交差する位置にあるものとする。数式筆記の際の視認性確保ため、目盛りの垂直方向への高さは横罫線の間隔の８分の１以下とする。
【０００９】
本ノート用紙を使用する場合に、縦罫線の左側を数式記述欄とし、右側を計算欄とする。すなわち、上記の縦罫線の左側（横幅全体の概ね３分の２）の箇所に数式を書き、縦罫線の右側（横幅全体の概ね３分の１）の箇所を計算用紙として使用する。中学・高校生が行う数学の学習においては、上記の数式記述欄と計算欄のバランス（概ね２対１）が最良なためである。
【００１０】
放物線等の２次元グラフを描く場合、縦罫線と横罫線の交点のいずれか適当な位置あるものをグラフの原点とし、他の交点及び横罫線の目盛りをグラフの座標として使用する。
【考案の効果】
【００１１】
本考案の用紙によれば、数式を記述する際、別の計算用紙を用いることなく、縦罫線右側の計算欄で計算を行うため、その数式を立てる基となった計算の経過が分かりやすく、数式の意味が理解しやすい。
【００１２】
解答を間違えた場合でも、計算過程が残るため、どこで計算を誤ったのかが分りやすく、数式の訂正が容易である。
【００１３】
さらに、右側の計算欄には計算以外にも解法の糸口となるポイントを書き込むこともできるため、解法に至るまでの考え方や数式の立て方を理解しやすくなり、それを記憶する点においても有効となる。
【００１４】
グラフ描画時に、縦罫線と横罫線の交点を原点とし、他の交点及び横罫線の目盛りを頂点の座標として使用する事で、グラフの描画を容易に行うことができる。
【考案を実施するための形態】
【００１５】
本考案に係わるノート用紙の実施形態を以下に示す。図２（ａ）は、数式を記述する際、別の計算用紙を用いることなく、縦罫線右側の計算欄で計算を行った一例を示す図である。計算の過程が一目瞭然であり、解答が誤っている場合でも、計算を誤った箇所を見つけやすく、訂正が容易である。
【００１６】
図２（ｂ）は、数式を記述する際、縦罫線右側の計算欄に解法のポイントを書き込こみながら計算を行い、解答した一例を示す図である。解答を導くまでの数式の立て方が理解しやすく、それを記憶する点においても有効である。
【００１７】
図２（ｃ）は、グラフを描画しながら解答する際、縦罫線と横罫線の交点を原点とし、他の交点及び横罫線の目盛りを座標として使用した一例を示す図である。
【００１８】
さらに図２（ｄ）では、グラフを描画しながら解答をする他に、右側の計算欄に横罫線の目盛りを利用して増減表を作成した一例を示す図である。グラフだけでなく、その描画のもととなる増減表の値についても、罫線の目盛りを活用することで容易に記述することができる。
【図面の簡単な説明】
【００１９】
【図１】本考案によるノート用紙を示す図である。
【図２】（ａ）、（ｂ）、（ｃ）、（ｄ）は図１の使用例を示す図である。
【図３】本考案によるノート用紙の縦罫線部分の拡大図である。
【符号の説明】
【００２０】
１，横罫線
２，横罫線の目盛り
３，縦罫線
【図１】
0003161853.tif 000003
【図２】
0003161853.tif 000004
【図３】
0003161853.tif 000005
(57)【要約】      （修正有）【課題】北極の氷山が融けて無くなっていく地球温暖化ＣＯ２対策の地球温暖化対策氷山維持装置を提供する。【解決手段】チベット高原鉄道支柱に具現する湿式ジアゾ複写機方式と称する液体アンモニアの気化可逆反応支柱２、に追加した液体空気、液体酸素、液体窒素、液体水素、液体ヘリウムの寒剤の支柱又は袋３を多く運用する事により北極海の氷山１に関する地球温暖化氷山維持装置とする。【選択図】図１
0003161855.tif 000002
【実用新案登録請求の範囲】
【請求項１】
氷山に設けた湿式ジアゾ複写機方式アンモニア支柱と称している液体アンモニアを支柱外部温度変化により気化させる可逆反応の支柱を有している地球温暖化対策氷山維持装置。
【請求項２】
液体空気、液体酸素、液体窒素、液体水素、液体ヘリウムの寒剤の支柱又は袋を具備した請求項１記載の地球温暖化対策氷山維持装置。
【考案の詳細な説明】
【技術分野】
【０００１】
本考案は、従来の地球温暖化ＣＯ2対策としての地球温暖化対策氷山維持装置に関する。
【背景技術】
【０００２】
中国・チベットラサ駅周回の高原列車鉄道支柱があります。
【考案の概要】
【考案が解決しようとする課題】
【０００３】
しかしながら、チベット高原鉄道支柱は、支柱の間隔が広く支柱の本数に限りがあり、北極の氷山に関する地球温暖化対策氷山維持装置としては、欠点がある。
【０００４】
本考案は、上記実情に鑑みてなされたものであり、チベット高原鉄道支柱の効果を高めた地球温暖化ＣＯ2対策としている。
【課題を解決するための手段】
【０００５】
上記目的を達成するため考案は、チベット高原鉄道支柱の効果を高めた北極の氷山に関する地球温暖化対策氷山維持装置として次の構成を含むことを特徴としている。湿式ジアゾ複写機で知られる吸熱反応に於ける液体アンモニアのアンモニアガス化による支柱の中の状態変化が、支柱周囲の氷の状態を吸熱する事により更に硬い氷として支柱の地盤を更に硬いものとする、逆に地盤が冷却される事により支柱の中のアンモニアガスが液体アンモニア化する状態変化により支柱の温度が下がり効果を増す支柱、それに液体空気、液体酸素、液体窒素、液体ヘリウムなどの寒剤の支柱又は袋を追加運用する構成である。
【考案の効果】
【０００６】
本考案により、北極の氷山が融けて失くなっていく地球温暖化ＣＯ2対策の地球温暖化対策氷山維持装置にできる。
【図面の簡単な説明】
【０００７】
【図１】本考案の地球温暖化対策氷山維持装置である。
【考案を実施するための形態】
【０００８】
本考案の実施の形態の一例について、図面を参照しながら説明する。
地球温暖化対策氷山維持装置は図１に示すように、北極海の中の氷山１、に湿式ジアゾ複写機方式アンモニア支柱２、に追加した液体空気、液体酸素、液体窒素、液体水素、液体ヘリウムの寒剤の支柱又は袋３でその効果を増すものである。
【符号の説明】
【０００９】
１．  氷山
２．  湿式ジアゾ複写機方式アンモニア支柱
３．  液体空気、液体酸素、液体窒素、液体水素、液体ヘリウムの寒剤の支柱又は袋
【図１】
0003161855.tif 000003
(57)【要約】      （修正有）【課題】ポケットティシュを１枚から複数枚重ねて収納し、携帯または室内や車内に利用出来る便利なポケットティッシュケースを提供する。【解決手段】上部ふたと下部箱からなり、上部ふたと下部箱の横側面に平板の一端をピンを留めるための穴を設け、かつ、下部箱の横側面に平板の他端をピンで留め、このピンがスライドするスライド穴を設け、穴およびスライド穴に平板を留めた構造からなり、ピンはスライド穴を左右に動き、上部ふたを上に持ち上げたときに箱の収納力が増える。【選択図】図１
0003161515.tif 000002
【実用新案登録請求の範囲】
【請求項１】
上部ふた１と下部箱２をピンと平板３で止める、ピンがスライド穴６を左右に動く、上部ふた１を上下に動かして、あいた空間にポケットティシュを収納して使用することを特徴とする多重収納ポケットティシュケース。
【考案の詳細な説明】
【技術分野】
【０００１】  本考案は、上部ふた１と下部箱２が上下に動いてポケットティシュが、複数枚入る収納ケースである。
【背景技術】
【０００２】名刺ケースのような厚い入れ物や布性のケースなどがある。
【先行技術文献】
【０００３】
【特許文献１】
【非特許文献】
【０００４】
【非特許文献１】
【考案の概要】
【考案が解決しようとする課題】
【０００５】  ポケットティシュは内容量の枚数が少なく使用においてはすぐになくなってしまう、そのため、いくつも重ねて使用するポケットティシュケースもあるが箱の厚く携帯に不便であり、また自由に使用枚数を選択するケースがなかった、前述の欠点を解決するものである。
【課題を解決するための手段】
【０００６】  本考案は、上部ふた１と下部箱２を平板３で固定して、ピン４で止め箱が上下に可動することにより問題点を解決している。
【考案の効果】
【０００７】  上述の様に、本考案の多重収納ポケットティシュケースは、上部ふた１を閉じると薄型でポケットティシュ１枚分から収納でき、可動すると多数収納でき自由に選択できる。また、上部ふたがティシュと密着するため取り出しやすい。
【図面の簡単な説明】
【０００８】
【図１】本考案の実施例を示す斜視図である。
【図２】本考案の側面図
【図３】平板３の平面図
【考案を実施するための形態】
【０００９】  上部ふた１を持ち上げ平板３の隙間または外の開いている場所からポケットティシュを挿入する。
【実施例】
【００１０】  以下、添付図面に従って実施例を説明する。１はケース本体の上側のふた部分であり、２は下側の箱部分である、３は１と２を組み合わせ支える平板で、上下に動かすためにある、４は固定用のピンである、５はティシュペーパーの取り出し口、６はピンが左右にスライドする穴で、７はピンを通す穴である、本体にも任意にあける。【００１１】  本考案の実施例は上述の如き構成からなるものであるから、上部ふた１を持ち上げあいている箇所から任意の数のティシュペーを収納する。
【符号の説明】
【００１２】１  上部ふた
２  下部箱
３  平板
４  ピン
５  ティシュ取り出し口
６  スライド穴
７  ピン穴
【図１】
0003161515.tif 000003
【図２】
0003161515.tif 000004
【図３】
0003161515.tif 000005
【手続補正書】
【提出日】平成22年5月15日(2010.5.15)
【手続補正１】
【補正対象書類名】実用新案登録請求の範囲
【補正対象項目名】全文
【補正方法】変更
【補正の内容】
【実用新案登録請求の範囲】
【請求項１】
上部ふたと下部箱からなり、上部ふたと下部箱の横側面に平板の一端をピンを留めるための穴を設け、かつ、下部箱の横側面に平板の多端をピンで留め、このピンがスライドするスライド穴を設け、前記の穴およびスライド穴に平板を留めた構造からなり、ピンはスライド穴を左右に動き、上部ふたを上に持ち上げたときに箱の収納力が増えることを特徴とする多重収納ポケットティシュケース。
(57)【要約】      （修正有）【課題】車椅子自体に特殊な加工を施さずに使用できる、フットレストを引き上げるための紐を提供する。【解決手段】紐は平カンで連結された短い紐と長い紐から構成され、短い紐は連結部分にもう一つの平カンと、連結部分とは反対の端から中央にかけて面ファスナーの両面が設けられ、長い紐は連結部分とは反対の端に前記の短い紐よりさらに短い紐が数本と、それらおのおのに面ファスナーの両面と滑り止めが設けられ、短い紐と長い紐が有する面ファスナーが留められた状態にされると短い紐と長い紐それぞれに輪が形成される。【選択図】図２
0003161512.tif 000002
【実用新案登録請求の範囲】
【請求項１】
車椅子のフットレストに紐を固定し、その紐と連結した別の紐を車椅子のアームなど介護者や要介護者の手が届きやすい箇所に固定し、車椅子のアームなどに固定された紐を引くことによって車椅子のフットレストを引き上げることを特徴とする車椅子のフットレストを引き上げるための紐。
【考案の詳細な説明】
【技術分野】
【０００１】  本考案は、車椅子のフットレストを引き上げるための紐に関するものである。
【背景技術】
【０００２】  従来から、車椅子のフットレストを上げる際は、フットレストを直接手で持ち上げている。また、従来の技術には、車椅子のフットレストを開閉させる紐を施したものがある（特許文献１参照）。
【先行技術文献】
【特許文献】
【０００３】
【特許文献１】  特開２００６−３２０４５８号公報
【考案の概要】
【考案が解決しようとする課題】
【０００４】  車椅子のフットレストを上げる際は、介護者や要介護者が腰をかがめてフットレストを直接手で持ち上げている。そのため、腰をかがめることへの煩わしさ、腰をかがめることによってかかる腰への負担、車椅子のフットレストに直接手で触れることで手が汚れてしまい不衛生であり、かつ不快感がある。従って、本考案は車椅子のフットレストを直接手で持ち上げなくてもフットレストを上げることを可能にすることにより、前述の欠点を解決しようとするものである。【０００５】  車椅子のフットレストを開閉させる紐を施した車椅子は、車椅子自体に特殊な加工が施されてある。そのため、手持ちの車椅子ではすぐに応用がきかない。従って、本考案は車椅子自体に特殊な加工を施さなくても、手持ちの車椅子でもすぐに応用させることを可能にし、前述の欠点を解決しようとするものである。
【課題を解決するための手段】
【０００６】  車椅子のフットレストの前後方向に短い紐を巻いて面ファスナーで固定し、その紐と連結した別の長い紐を車椅子のアームなど介護者や要介護者の手が届きやすい箇所に巻いて面ファスナーで固定し、アームなどに固定された長い紐を引くことによってフットレストを引き上げることを可能にすることにより問題点を解決している。
【考案の効果】
【０００７】  上述の様に、車椅子のフットレストを直接手で持ち上げなくてもフットレストを引き上げることが可能になり、従来のように腰をかがめることへの煩わしさ、腰をかがめることによってかかる腰への負担、フットレストに直接手で触れる際に手が汚れてしまうことによる不衛生さや不快感を解決している。【０００８】  上述の様に、車椅子自体に特殊な加工を施さなくても、手持ちの車椅子でもすぐに応用させることを可能にしている。
【図面の簡単な説明】
【０００９】
【図１】  本考案の車椅子のフットレストを引き上げるための紐の一実施例を示した図である。
【図２】  本考案を左斜め前から示した図である。
【図３】  本考案の表面を示した平面図である。
【図４】  本考案の裏面を示した平面図である。
【考案を実施するための形態】
【００１０】  以下、図１から図４を参照して本考案の実施の形態を説明する。車椅子のフットレスト１９を開いた状態にし、長い紐の平カン１４と、短い紐の平カン１５をフットレスト１９の後方に当てる。短い紐１６を車椅子のフットレスト１９の後方からフットレスト１９の天面へ、フットレスト１９の天面からフットレスト１９の前方へ、そして、フットレスト１９の前方からフットレスト１９の後方へ戻るように巻く。短い紐の二番目の面ファスナー１８の先を短い紐の平カン１５に通し、短い紐の二番目の面ファスナー１８と、短い紐の一番目の面ファスナー１７を合わせて固定する。長い紐１３を車椅子のレッグレスト２０の下に通し、長い紐１３の先を車椅子のアーム２１など介護者や要介護者の手が届きやすい箇所に巻く。一番目の紐１を長い紐１３に巻き、一番目の紐の表面の面ファスナー２と、一番目の紐の裏面の面ファスナー４を合わせて固定する。ニ番目の紐５を長い紐１３に巻くことができる場合は、一番目の紐１と同様にニ番目の紐５を長い紐１３に巻き、ニ番目の紐の表面の面ファスナー６と、ニ番目の紐の裏面の面ファスナー８を合わせて固定する。ニ番目の紐５を長い紐１３に巻くことができない場合は、そのままニ番目の紐の表面の面ファスナー６と、ニ番目の紐の裏面の面ファスナー８を合わせて固定する。三番目の紐９もニ番目の紐５の場合と同様に、三番目の紐９を長い紐１３に巻くことができる場合は巻き、三番目の紐の表面の面ファスナー１０と、三番目の紐の裏面の面ファスナー１２を合わせて固定する。三番目の紐９を長い紐１３に巻くことができない場合は、そのまま三番目の紐の表面の面ファスナー１０と、三番目の紐の裏面の面ファスナー１２を合わせて固定する。フットレスト１９に置かれた要介護者の足を上げた状態にし、長い紐１３を引いてフットレスト１９を引き上げる。尚、紐は伸縮性のないものが好ましい。
【符号の説明】
【００１１】１  一番目の紐
２  一番目の紐の表面の面ファスナー
３  一番目の紐の滑り止め
４  一番目の紐の裏面の面ファスナー
５  ニ番目の紐
６  ニ番目の紐の表面の面ファスナー
７  ニ番目の紐の滑り止め
８  ニ番目の紐の裏面の面ファスナー
９  三番目の紐
１０  三番目の紐の表面の面ファスナー
１１  三番目の紐の滑り止め
１２  三番目の紐の裏面の面ファスナー
１３  長い紐
１４  長い紐の平カン
１５  短い紐の平カン
１６  短い紐
１７  短い紐の一番目の面ファスナー
１８  短い紐の二番目の面ファスナー
１９  フットレスト
２０  レッグレスト
２１  アーム
【図１】
0003161512.tif 000003
【図２】
0003161512.tif 000004
【図３】
0003161512.tif 000005
【図４】
0003161512.tif 000006
【手続補正書】
【提出日】平成22年5月14日(2010.5.14)
【手続補正１】
【補正対象書類名】実用新案登録請求の範囲
【補正対象項目名】全文
【補正方法】変更
【補正の内容】
【実用新案登録請求の範囲】
【請求項１】
紐は平カンで連結された短い紐と長い紐から構成され、短い紐は連結部分にもう一つの平カンと、連結部分とは反対の端から中央にかけて面ファスナーの両面が設けられ、長い紐は連結部分とは反対の端に前記の短い紐よりさらに短い紐が数本と、それらおのおのに面ファスナーの両面と滑り止めが設けられ、短い紐と長い紐が有する面ファスナーが留められた状態にされると短い紐と長い紐それぞれに輪が形成されることを特徴とした車椅子のフットレストを引き上げるための紐。
(57)【要約】      （修正有）【課題】味噌等の調味料を計量する際、スプーン内面に付着したその調味料を簡単に取り出す事ができる計量スプーンを提供する。【解決手段】スプーン湾曲部の材料に軟質樹脂を使用し、湾曲部の凸側を指等で押した際その湾曲部がひっくり返る様にする。また、湾曲部凸側を指で押した際に、湾曲部がひっくり返らずそのまま倒れこんでしまうのを避ける為に、湾曲部の円周部分は柄部の硬質材と一体化する。これにより、計量した調味料を、スプーンの湾曲部をひっくり返す事で簡単に取り出せるので、ヘラ等を使用する事も無く、時間と手間が掛からずに効率的であり、また構造も通常のスプーンと同様である為使用後の洗浄が容易である。【選択図】図１
0003161517.tif 000002
【実用新案登録請求の範囲】
【請求項１】
スプーンの湾曲部材料に軟質樹脂を使用し湾曲部が指等の外力でひっくり返る様にする事で、湾曲部内面に付着した調味料を取り出し易くした計量スプーン。
【考案の詳細な説明】
【技術分野】
【０００１】軟質樹脂を使用した計量スプーン
【背景技術】
【０００２】従来の計量スプーンで味噌等の調味料を計量する際、計量した調味料がスプーン内面に残ってしまい、簡単に取り出せなかった。
【考案の概要】
【考案が解決しようとする課題】
【０００３】味噌等の柔らかい固形物やハチミツ等の粘性の液体を計量する際に、従来の計量スプーンではスプーン湾曲部の内面にその調味料が付着し残ってしまうので、正確に取り出す為にヘラを別に用意する等、手間が掛かっていた。
【課題を解決するための手段】
【０００４】スプーン湾曲部の材料に軟質樹脂を使用し、湾曲部の凸側を指等で押した際その湾曲部がひっくり返る様にする。
【考案の効果】
【０００５】計量した調味料を、スプーンの湾曲部をひっくり返す事で簡単に取り出せるので、ヘラ等を使用する事も無く、時間と手間が掛からずに効率的であり、また構造も通常のスプーンと同様である為使用後の洗浄が容易である。
【図面の簡単な説明】
【０００６】
【図１】側面図
【考案を実施するための形態】
【０００７】湾曲部凸側を指で押した際に、湾曲部がひっくり返らずそのまま倒れこんでしまうのを避ける為に、湾曲部の円周部分は柄部の硬質材と一体化するのが望ましい。
【図１】
0003161517.tif 000003
【手続補正書】
【提出日】平成22年5月15日(2010.5.15)
【手続補正１】
【補正対象書類名】実用新案登録請求の範囲
【補正対象項目名】全文
【補正方法】変更
【補正の内容】
【実用新案登録請求の範囲】
【請求項１】
計量スプーン柄部の材質は金属または硬質プラスチックとするが、湾曲部の材質に軟質樹脂を用いた計量スプーン。
【手続補正２】
【補正対象書類名】明細書
【補正対象項目名】０００４
【補正方法】変更
【補正の内容】
【０００４】スプーン湾曲部の材料に軟質樹脂を使用し柔らかくする事で、湾曲部の凸側から指や箸等で上方向へ外力を加えた際に、湾曲部の凸部分が反対側へひっくり返る様にする。
それまで湾曲部の内面だった部分を外面とする事で、付着した調味料が取り出し易くなる。